(57)【要約】【課題】片手で容器本体を安定して固定でき、計量操作の利便性に優れる粉粒物用容器を提供する。【解決手段】粉粒状の内容物を収容する容器本体２を備え、前記容器本体２の前面２０の上部を、後方から前方に向けて漸次下る傾斜面２２とし、前記傾斜面２２には、内容物を取り出す開口部３０を形成し、前記容器本体２には、前記開口部３０を塞ぐ蓋体３を開閉自在に設けると共に、後方から手指を挿入して前記容器本体２を把持する挿入口１０を形成することよりなる。【選択図】図２
2011121599.tif 000002
【特許請求の範囲】
【請求項１】
粉粒状の内容物を収容する容器本体を備え、
前記容器本体は、その前面の上部が、後方から前方に向けて漸次下る傾斜面とされ、
前記傾斜面には、内容物を取り出す開口部が形成され、
前記容器本体には、前記開口部を塞ぐ蓋体が開閉自在に設けられると共に、後方から手指を挿入して前記容器本体を把持する挿入口が形成されていることを特徴とする粉粒物用容器。
【請求項２】
前記容器本体の背面は、後方に膨出した形状であることを特徴とする、請求項１に記載の粉粒物用容器。
【請求項３】
前記開口部は、その上部の周縁の少なくとも一部が略直線状とされていることを特徴とする、請求項１又は２に記載の粉粒物用容器。
【請求項４】
さらに計量スプーンを備え、前記蓋体と前記容器本体とのいずれか一方又は双方には、前記蓋体を閉じた際に前記蓋体の周縁と前記開口部の周縁とで前記計量スプーンを係止する係止部が形成されていることを特徴とする、請求項１〜３のいずれか１項に記載の粉粒物用容器。
【発明の詳細な説明】
【技術分野】
【０００１】
本発明は、粉粒物用容器に関する。
【背景技術】
【０００２】
衣料用洗濯洗剤や自動食器洗浄機用洗剤等の粉粒物を収容する粉粒物用容器としては、計量スプーンを付属させた箱状の容器が知られている。
箱状の容器の使用方法は、まず蓋を開け、付属の計量スプーンで粉粒物を掬い取って計量し、計量した粉粒物を洗濯機や自動食器洗浄機等に投入するものである。多くの場合、箱型の容器から粉粒物を掬い取る際には、一方の手で容器を固定し、他の一方の手で計量スプーンを操作する。このような箱型の容器の多くは、ワンウェイの紙製であるため、濡れた手で計量操作等を繰り返すうちに変形したり、容器を把持する手指が滑ったりして、手で固定しにくいという問題がある。特に、内容物の残量が少なくなったり、内容物が吸湿した状態では、容器をより強く固定して計量操作を行いたいという要望がある。
【０００３】
従来、こうした問題に対し、例えば、紙容器を側方から把持した際に指が触れる側方把持予定部、及び、紙容器を上方から把持した際に指が触れる上方把持予定部に滑り止めを設けた粒状洗剤用紙容器が開示されている（例えば、特許文献１）。
また、容器体、蓋体及び吊り下げ用の把手を備え、合成樹脂材で成形されたスプーン付き粉末容器が開示されている（例えば、特許文献２）。
また、例えば、側面に取手を備えた容器本体と、容器本体に支軸により取り付けられた蓋体とを備える容器が開示されている（例えば、特許文献３、４）。
【先行技術文献】
【特許文献】
【０００４】
【特許文献１】特開２００６−１６０２９９号公報
【特許文献２】実用新案登録第２５８３０６３号公報
【特許文献３】実開平６−３８４２号公報
【特許文献４】特開平１０−３２８０５１号公報
【発明の概要】
【発明が解決しようとする課題】
【０００５】
しかしながら、特許文献１の技術では、濡れた手で容器を把持した際にも手指が滑りにくくなるものの、把持した際の容器自体の変形を防止できず、容器の固定が不安定となりやすい。特許文献２の技術では、容器自体が合成樹脂製であるため変形しにくいが、容器を把持した際に手指が滑ることは解決できていない。加えて、この容器の把手は、容器の運搬を目的としているため、把手を持って容器を固定するということを想定していない。例えば、把手を持って計量操作を試みると、把手が、蓋の開閉や容器本体内での計量スプーンの操作の妨げとなる。また、特許文献３〜４の技術では、取手が容器本体の側面に設けられ、蓋体が支軸により容器本体と取り付けられているため、取手が蓋体の開閉の障害とならないものの、取手を掴んでの容器本体の固定は手指への負担が大きい。
そこで、本発明は、片手で容器本体を安定して固定でき、計量操作の利便性に優れる粉粒物用容器を目的とする。
【課題を解決するための手段】
【０００６】
本発明の粉粒物用容器は、粉粒状の内容物を収容する容器本体を備え、前記容器本体は、その前面の上部が、後方から前方に向けて漸次下る傾斜面とされ、前記傾斜面には、内容物を取り出す開口部が形成され、前記容器本体には、前記開口部を塞ぐ蓋体が開閉自在に設けられると共に、後方から手指を挿入して前記容器本体を把持する挿入口が形成されていることを特徴とする。
前記容器本体の背面は、後方に膨出した形状であることが好ましく、前記開口部は、その上部の周縁の少なくとも一部が略直線状とされていることが好ましい。さらに計量スプーンを備え、前記蓋体と前記容器本体とのいずれか一方又は双方には、前記蓋体を閉じた際に前記蓋体の周縁と前記開口部の周縁とで前記計量スプーンを係止する係止部が形成されていることが好ましい。
【発明の効果】
【０００７】
本発明の粉粒物用容器によれば、粉粒状の内容物を収容する容器本体を備え、前記容器本体は、その前面の上部が、後方から前方に向けて漸次下る傾斜面とされ、前記傾斜面には、内容物を取り出す開口部が形成され、前記容器本体には、前記開口部を塞ぐ蓋体が開閉自在に設けられると共に、後方から手指を挿入して前記容器本体を把持する挿入口が形成されているため、片手で容器本体を安定して固定でき、計量操作が容易で利便性に優れる。
本発明の粉粒物用容器によれば、前記容器本体の背面は、後方に膨出した形状であるため、片手で容器本体をより容易かつ安定して把持できる。
本発明の粉粒物用容器によれば、前記開口部は、その上部の周縁の少なくとも一部が略直線状とされているため、この上部の周縁を摺り切りとして利用でき、利便性に優れる。
本発明の粉粒物用容器によれば、さらに計量スプーンを備え、前記蓋体と前記容器本体とのいずれか一方又は双方には、前記蓋体を閉じた際に前記蓋体の周縁と前記開口部の周縁とで前記計量スプーンを係止する係止部が形成されているため、計量スプーンの持ち手部分を内容物で汚染することなく容器本体に収容できる。
【図面の簡単な説明】
【０００８】
【図１】本発明の一実施形態を示す粉粒物用容器の斜視図である。
【図２】本発明の一実施形態を示す粉粒物用容器の斜視図である。
【図３】（ａ）図１の粉粒物用容器の平面図である。（ｂ）図１の粉粒物用容器の左側面図である。（ｃ）図１の粉粒物用容器の正面図である。（ｄ）図１の粉粒物用容器の右側面図である。（ｅ）図１の粉粒物用容器の背面図である。（ｆ）図１の粉粒物用容器の底面図である。
【図４】本発明の一実施形態を示す粉粒物用容器の縦断面図である。
【図５】図１の粉粒物用容器の使用方法を説明する斜視図である。
【図６】図１の粉粒物用容器の使用方法を説明する斜視図である。
【図７】本発明の一実施形態を示す粉粒物用容器の部分拡大図である。
【図８】本発明の一実施形態を示す粉粒物用容器の蓋体の平面図である。
【図９】本発明の一実施形態を示す粉粒物用容器の部分拡大図である。
【図１０】本発明の一実施形態を示す粉粒物用容器の部分拡大図である。
【図１１】本発明の一実施形態を示す粉粒物用容器の部分拡大図である。
【発明を実施するための形態】
【０００９】
本発明の粉粒物用容器の一実施形態について、以下に図面を参照して説明する。
図１は、本発明の粉粒物用容器１の蓋体を閉じた状態を示す斜視図であり、図２は、本発明の粉粒物用容器１の蓋体を開いた状態を示す斜視図である。図３は、本発明の粉粒物用容器１の六面図であり、図４は、内容物を収容した状態を示す粉粒物用容器１の左側面方向から見た縦断面図である。図１〜４に示すように、粉粒物用容器１は、容器本体２と、蓋体３とを備えるものである。
【００１０】
容器本体２は、略矩形の底面２８と、底面２８の周縁から上方に延びる前面２０、背面２４、右側面２６及び左側面２７とで形成されたものである。背面２４は、後方に膨出した形状とされ、右側面２６及び左側面２７は、底面２８から上方に立直した略平面とされている。
【００１１】
前面２０は、その下部が前方に膨出した形状とされ、上部が、後方から前方に向けて漸次下る傾斜面２２とされている。傾斜面２２の上方には、上方に突出した突出部１２が形成され、突出部１２には後方から前方に貫通する略楕円形の挿入口１０が形成されている。
【００１２】
傾斜面２２には、容器本体２内の内容物を取り出す略矩形の開口部３０が形成され、開口部３０には、その下部の周縁（下部周縁）３４近傍にヒンジ部３６（図４）が設けられている。また、開口部３０には、ヒンジ部３６により開閉自在に支持された蓋体３が設けられ、蓋体３には、その上部に摘み部３１が形成されている。開口部３０は、その上部の周縁（上部周縁）３３が略直線状とされ、上部周縁３３の上方には、略矩形の凹状の係止部３２が形成されている。略直線状とは、上部周縁３３により、内容物の摺り切りができる程度に直線であることを意味する。
【００１３】
容器本体２は、例えば、ポリエチレン、ポリプロピレン、ポリエチレンテレフタレート等のプラスチック製容器、コートボール紙等の紙製容器、陶器等が挙げられ、中でも軽量かつ耐久性の高いプラスチック製が好ましい。
蓋体３の材質は、容器本体２と同様である。
【００１４】
粉粒物用容器１の高さＨ（図３（ｅ））は、特に限定されないが、例えば、１２０〜２００ｍｍ程度とされる。高さＨが上記範囲内であれば、片手で容器本体２をより安定して把持できる。
また、粉粒物用容器１の幅Ｗ（図３（ｅ））は、特に限定されないが、例えば、８０〜１２０ｍｍ程度とされる。幅Ｗが上記範囲内であれば、片手で容器本体２をより安定して把持できる。
【００１５】
傾斜面２２の傾斜の程度は、傾斜面２２に沿った直線αと、底面２８に沿った直線βのなす角度θが鋭角であれば特に限定されないが、例えば、３０〜７５°が好ましく、４５〜６０°がより好ましい。傾斜面２２の角度が上記範囲内であれば、後述する使用方法にて、より円滑に計量スプーンを操作できる。
【００１６】
開口部３０の大きさは、後述する計量スプーンの大きさ等を勘案して決定でき、例えば縦方向の長さｈ（図２）が５０〜８０ｍｍ程度とされ、幅方向の長さｗ（図２）が５０〜８０ｍｍ程度とされる。開口部３０の長さｈ及びｗが上記範囲内であれば、後述する使用方法にて、より円滑に計量スプーンを操作できる。
【００１７】
挿入口１０は、容器本体２を把持する際に、背面２４から１〜２本の手指を挿入するための貫通口であり、例えば、挿入口１０の長手方向の長さＬ１（図３（ｅ））が３０〜５０ｍｍ程度とされ、短手方向の長さＬ２（図３（ｅ））が２０〜４０ｍｍ程度とされる。挿入口１０の長さＬ１及びＬ２が上記範囲内でれば、片手で容器本体２をより安定して把持できる。
【００１８】
背面２４の膨出の程度は、特に限定されないが、例えば、背面２４における右側面２６から左側面２７に掛けての曲面、即ち底面２８に平行な断面における背面２４の形状が、Ｒ＝２０〜１００ｍｍ程度とされる。また、例えば、背面２４における突出部１２から底面２８に掛けての曲面、即ち側断面における背面２４の形状が、Ｒ＝５０〜４００ｍｍ程度とされる。背面２４が膨出した形状とされていることで、後述する使用方法にて、片手で容器本体２をより安定して把持できる。
【００１９】
（使用方法）
粉粒物用容器１の使用方法について、図４〜６を用いて説明する。図５は、容器本体２を背面２４から把持した様子を示す斜視図であり、図６は、容器本体２を片手で把持したまま計量操作を行う様子を示す斜視図である。図６において、符号６０は、粉粒物用容器１に付属する計量スプーンを示し、計量スプーン６０は、手指で把持する把持部６２と、把持部６２の先端に設けられ、内容物を量り取る有底筒状の計量部６１とを備えている。
【００２０】
図４に示すように、容器本体２に粉粒状の内容物５０を収容する。この際、内容物５０は、その上面５２が下部周縁３４よりも底面２８側に位置するように収容される。内容物５０としては粉粒状であれば特に限定されず、平均粒径５０〜２０００μｍ程度の衣料用洗濯洗剤、自動食器洗浄用洗剤等の粉粒状洗剤、粉粒状の調味料等が挙げられる。粉粒物用容器１は、容器本体２内に内容物５０を収容し、蓋体３を閉めて開口部３０を塞いだ状態で、流通又は保管がなされる。
【００２１】
内容物５０を計量する際には、図５に示すように、背面２４に手の平を当接するようにしつつ挿入口１０に後方から手指を挿入し、残りの手指を右側面２６及び左側面２７に当接して容器本体２を片手で把持する。この実施形態では、挿入口１０に人差指と中指とを挿入し、親指を左側面２７に当て、薬指と小指とを右側面２６に当てて、容器本体２を把持している。このように、容器本体２を把持することで、内容物５０の質量が大きくても、片手で容器本体２を安定して固定できる。
【００２２】
次いで、図６に示すように、計量操作を行う使用者は、容器本体２を把持したまま前面２０が手前に向くように手首を返すと共に、他方の手で摘み部３１を容器本体２から離れる方向に操作する。この操作により蓋体３がヒンジ部３６を軸に回動して、開口部３０が露出する。摘み部３１を操作した手で計量スプーン６０の把持部６２を持ち、開口部３０から容器本体２内に計量部６１を挿入し内容物５０を掬う。そして、内容物５０を掬い取った計量部６１を開口部３０から引き出す際に、計量部６１の開口端面を上部周縁３３にこすり付けるようにして、内容物５０を摺り切る。こうして、計量部６１に所定量の内容物５０を量り取り、量り取った内容物５０を目的とする洗濯機等に投入する（以上、計量操作）。
計量操作の後、計量部６１を容器本体２内に位置させると共に、把持部６２を係止部３２に当てはめ、蓋体３を閉じることで、把持部６２を容器本体２外に露出させた状態で係止する。
【００２３】
従来の粉粒物用容器の多くは、蓋体を上方に跳ね上げ、容器本体の上面が開口するものとされているため、内容物を掬い取る際には計量スプーンを容器本体の真上から操作することが多かった。本発明によれば、前面２０の上部を傾斜面２２とし、この傾斜面２２に開口部３０を形成することで、使用者は計量スプーン６０を前方斜め下方に操作することとなり、計量部６１の容器本体２内外への出し入れを円滑に行える。
また、蓋体３を開閉自在に支持することで、蓋体を取り外したり、再度取り付けたりする手間を省ける。
加えて、挿入口１０を形成することで、挿入口１０に後方から手指を挿入した状態で、安定して容器本体２を片手で把持したまま計量操作が行える。
このように、本発明の粉粒物用容器は、片手で容器本体を安定して固定されると共に、計量操作の利便性に優れる。
【００２４】
本実施形態によれば、背面２４を後方に膨出した形状とすることで、計量操作時における容器本体２の安定性のさらなる向上が図れる。
加えて、開口部３０の上部周縁３３を略直線状とすることで、容易かつ正確に内容物を量り取れる。
さらに、開口部３０の周縁部に係止部３２を形成することで、計量スプーン６０の把持部６２を容器本体２外に露出した状態で収容できる。このため、濡れた手で計量スプーン６０を操作した後であっても、把持部６２が内容物５０と触れず、把持部６２が汚染されることがない。加えて、計量部６１が容器本体２内に位置されるため、計量部６１に付着した内容物５０により粉粒物用容器１の周辺を汚染することがない。
【００２５】
上述の実施形態では、開口部３０の上方中央部に係止部３２が形成されているが、本発明はこれに限定されず、係止部３２が形成されていなくてもよいし、蓋体３に切り欠き状の係止部が形成されていてもよい。
【００２６】
例えば、図７に示すように、本発明の粉粒物用容器には、略矩形の開口部１３０の１の頂部に切り欠き状の第一の係止部１３２が形成されると共に、図８に示すように略矩形の蓋体１３４の１の頂部であって第一の係止部１３２に対応する位置に切り欠き状の第二の係止部１３６が形成されていてもよい。図９（ａ）に示すように、この実施形態においては、蓋体１３４を閉じた際に、第一の係止部１３２と第二の係止部１３６とで隙間が形成される。そして、図９（ｂ）に示すように、計量スプーン６０は、把持部６２が第一の係止部１３２と第二の係止部１３６とで挟み込まれ、容器本体外に把持部６２が露出した状態で係止される。
【００２７】
また、例えば、図１０に示すように、本発明の粉粒物用容器には、略矩形の開口部２３０の１の頂部にＵ字状に切り欠かれた係止部２３２が形成されていてもよい。図１１（ａ）に示すように、この実施形態では、係止部が形成されていない蓋体３との組み合わせにおいて、蓋体３の１の頂部と係止部２３２とで隙間が形成される。そして、図１１（ｂ）に示すように、計量スプーン６０は、把持部６２が蓋体３と係止部２３２とで挟み込まれ、容器本体外に把持部６２が露出した状態で係止される。
【００２８】
粉粒物用容器１では、係止部３２が上部周縁３３の略中央に形成されているため、後方から挿入口１０に手指を挿入する際に計量スプーン６０が妨げとなる。図７〜９又は図１０〜１１のように、開口部の１の頂部の位置に係止部を形成することで、容器本体２を把持する際に、計量スプーン６０が妨げとならない。
【００２９】
上述の実施形態では、開口部３０が略矩形とされているが、本発明はこれに限定されず、例えば、開口部３０が、三角形、五角形等の矩形以外の多角形とされていてもよいし、円形、半円形、楕円形等とされていてもよい。ただし、上部周縁３３を摺り切りとして利用するために、開口部３０の形状は、矩形、三角形等の多角形や半円形であることが好ましい。
また、上述の実施形態では、開口部３０の四隅にＲが形成されているが、本発明はこれに限定されず、例えば、四隅にＲが形成されていなくてもよいし、四隅に隅切が形成されていてもよい。
【００３０】
上述の実施形態では、挿入口１０が略楕円形とされているが、本発明はこれに限定されず、例えば、三角形や矩形等の多角形とされていてもよいし、円形、半円形等とされていてもよい。
【００３１】
上述の実施形態では、突出部１２が形成され、この突出部１２を貫通する挿入口１０が形成されているが、本発明はこれに限定されず、挿入口は手指を挿入できるものであればよく、貫通していないものであってもよい。
【００３２】
上述の実施形態では、背面２４が後方に膨出した形状とされているが、本発明はこれに限定されず、例えば、底面２８から立直した平面であってもよい。ただし、より安定して容器本体２を固定する観点から、背面２４は後方に膨出した形状とされていることが好ましい。
【００３３】
上述の実施形態では、蓋体３がその下部を軸として開閉するようにされているが、本発明はこれに限定されず、例えば、蓋体３がその側方を軸として開閉するようにされていてもよい。
【００３４】
上述の実施形態では、片手で容器本体２を把持した状態における計量操作を説明したが、粉粒物用容器１の使用方法はこれに限定されることはない。例えば、室内の壁や、洗濯機の壁面等に設けられたフック等に挿入口１０を掛けて粉粒物用容器１を係止し、係止された状態で蓋体３の開閉を行うと共に、計量スプーン６０を操作して、内容物５０を計量してもよい。
このような使用方法においても、吊下げられた容器本体２を片手で安定して固定できると共に、開口部３０が傾斜面２２に形成されているため、計量スプーン６０を用いた計量操作を円滑に行うことができる。
【符号の説明】
【００３５】
１        粉粒物用容器
２        容器本体
３、１３４    蓋体
１０      挿入口
２０      前面
２２      傾斜面
２４      背面
３０、１３０、２３０    開口部
３２、１３２、１３６、２３２    係止部
３３      上部周縁
６０      計量スプーン
【図１】
2011121599.tif 000003
【図２】
2011121599.tif 000004
【図３】
2011121599.tif 000005
【図４】
2011121599.tif 000006
【図５】
2011121599.tif 000007
【図６】
2011121599.tif 000008
【図７】
2011121599.tif 000009
【図８】
2011121599.tif 000010
【図９】
2011121599.tif 000011
【図１０】
2011121599.tif 000012
【図１１】
2011121599.tif 000013